(57)【要約】【課題】送信側の意図に合致する可能性が高いクライアントに情報を送信しうる情報送信サーバおよび方法を得る。【解決手段】広告配信サーバ１１０は、ユーザに関する情報を取得及び判定する位置情報取得部１１１、訪問回数判定部１１２及びユーザクラス判定部１１３と、広告の配信を制御する広告配信部１１４と、課金に関する制御を行う広告課金部１１５と、広告の出稿を制御する広告情報受信部１１６とを主に備える。位置情報取得部１１１は、位置情報及び固体識別情報を携帯電話１８０から受信する。訪問回数判定部１１２は、携帯電話１８０の位置情報を用いてユーザデータベースサーバ１４０が記録する訪問回数を更新する。ユーザクラス判定部１１３は、携帯電話１８０の訪問回数を用いてユーザのクラスを判定及び更新する。広告配信部１１４は、特定の広告エリア内に存在するユーザのうち、広告を配信する条件に合致するユーザに対して広告を配信する。【選択図】図１
2010097266.tif 000002
【特許請求の範囲】
【請求項１】
クライアントに対して情報を送信可能である情報送信サーバであって、
前記クライアントの現在位置を示す位置情報を前記クライアントから取得する位置情報取得手段と、
前記クライアントが所定の領域内に入った回数を示す訪問回数を前記位置情報に基づいて算出する訪問回数判定手段と、
所定の領域内に存在するクライアントのうち所定の領域内に対する訪問回数が所定の範囲内である送信対象クライアントに対して所定の情報を送信する送信手段とを備え、
前記送信手段は、前記送信対象クライアントの数が所定の範囲内であるときに、前記送信対象クライアントに対して所定の情報を送信する情報送信サーバ。
【請求項２】
前記クライアントは、前記情報送信サーバが前記クライアントを識別するために用いるものであって、前記クライアントに固有のユーザＩＤを有し、
前記位置情報取得手段は、前記ユーザＩＤを前記クライアントから取得し、
前記訪問回数判定手段は、前記位置情報及び前記ユーザＩＤに基づいて前記訪問回数を前記クライアントごとに算出する請求項１に記載の情報送信サーバ。
【請求項３】
前記クライアントは前記クライアント固有の識別符号を有し、
前記位置情報取得手段は、前記識別信号を前記クライアントから取得し、
前記訪問回数判定手段は、前記位置情報及び前記識別信号に基づいて前記訪問回数を前記クライアントごとに算出する請求項１に記載の情報送信サーバ。
【請求項４】
前記訪問回数判定手段は、所定の期間内に前記クライアントが所定の領域内に入った訪問頻度を算出し、
前記送信手段は、所定の領域内に存在するクライアントのうち所定の領域内に対する訪問頻度が所定の範囲内である送信対象クライアントに対して所定の情報を送信する請求項１に記載の情報送信サーバ。
【請求項５】
前記訪問回数に応じて前記クライアントを複数の階層に分類するクライアント分類手段をさらに備え、
前記送信手段は、所定の領域内に存在するクライアントのうち所定の階層に属する送信対象クライアントに対して前記所定の情報を送信する請求項１に記載の情報送信サーバ。
【請求項６】
前記位置情報は、ＧＰＳにより得られる前記クライアントの緯度、経度及び時間である請求項１に記載の情報送信サーバ。
【請求項７】
前記位置情報は、前記クライアントと通信する基地局の現在位置を示す位置情報に応じて定められる請求項１に記載の情報送信サーバ。
【請求項８】
前記送信手段が送信する所定の情報は、広告情報である請求項１に記載の情報送信サーバ。
【請求項９】
前記送信手段が送信する所定の情報は、前記クライアントが位置する領域において受信可能な放送波の周波数情報である請求項１に記載の情報送信サーバ。
【請求項１０】
前記送信手段が情報を送信したクライアントの数を算出する広告課金処理手段をさらに備える請求項１に記載の情報送信サーバ。
【請求項１１】
前記所定の領域を設定するための領域設定手段をさらに備える請求項１に記載の情報送信サーバ。
【請求項１２】
請求項１に記載の情報送信サーバと、
現在の位置情報を取得する位置情報取得手段と、前記位置情報を前記情報送信サーバに送信するクライアント側送信手段と、前記情報送信サーバから情報を取得するクライアント側受信手段と、前記情報をユーザに伝達する伝達手段を備えるクライアントと
を備える情報送信システム。
【請求項１３】
クライアントに対して情報を送信する情報送信方法であって、
前記クライアントの現在位置を示す位置情報を前記クライアントから取得するステップと、
前記クライアントが所定の領域内に入った回数を示す訪問回数を前記位置情報に基づいて算出するステップと、
所定の領域内に存在するクライアントのうち所定の領域内に対する訪問回数が所定の範囲内である送信対象クライアントに対して所定の情報を送信するステップとを備える情報送信方法。
【発明の詳細な説明】
【技術分野】
【０００１】
本発明は、所定の条件に合致するクライアントに情報を送信する情報送信サーバおよび方法に関する。
【背景技術】
【０００２】
近年、ユーザすなわちクライアントが自ら選択した属性に応じて、情報を送信するサーバが知られている。クライアントは任意のグループに属する旨をサーバにあらかじめ登録する。サーバは、特定グループに属するクライアントが所定の領域内に入ったとき、グループの属性および所定の領域に応じた情報をそのクライアントに対し送信する（特許文献１）。すなわち、この構成では、情報の取捨選択をユーザが行っている。
【特許文献１】特開２００４−１０４７７８号公報
【発明の開示】
【発明が解決しようとする課題】
【０００３】
しかし、この構成では、送信側がクライアントを容易に選別できず、送信側が意図しないクライアントに情報を送信、あるいは送信側が意図するクライアントに情報を送信できず、送信した情報が有効に用いられないおそれがある。
【０００４】
本発明は、このような問題を鑑みてなされたものであり、送信側の意図に合致する可能性が高いクライアントに情報を送信しうる情報送信サーバおよび方法を得ることを目的とする。
【課題を解決するための手段】
【０００５】
本願第１の発明による情報送信サーバは、クライアントに対して情報を送信可能である情報送信サーバであって、クライアントの現在位置を示す位置情報をクライアントから取得する位置情報取得手段と、クライアントが所定の領域内に入った回数を示す訪問回数を位置情報に基づいて算出する訪問回数判定手段と、所定の領域内に存在するクライアントのうち所定の領域内に対する訪問回数が所定の範囲内である送信対象クライアントに対して所定の情報を送信する送信手段とを備え、送信手段は、送信対象クライアントの数が所定の範囲内であるときに、送信対象クライアントに対して所定の情報を送信することを特徴とする。
【０００６】
クライアントは、情報送信サーバがクライアントを識別するために用いるものであって、前記クライアントに固有のユーザＩＤを有し、位置情報取得手段は、ユーザＩＤをクライアントから取得し、訪問回数判定手段は、位置情報及びユーザＩＤに基づいて訪問回数をクライアントごとに算出してもよい。
【０００７】
あるいは、クライアントはクライアント固有の識別符号を有し、位置情報取得手段は、識別信号をクライアントから取得し、訪問回数判定手段は、位置情報及び識別信号に基づいて訪問回数をクライアントごとに算出するように構成されてもよい。
【０００８】
訪問回数判定手段は、所定の期間内にクライアントが所定の領域内に入った訪問頻度を算出し、送信手段は、所定の領域内に存在するクライアントのうち所定の領域内に対する訪問頻度が所定の範囲内である送信対象クライアントに対して所定の情報を送信してもよい。
【０００９】
訪問回数に応じてクライアントを複数の階層に分類するクライアント分類手段をさらに備え、送信手段は、所定の領域内に存在するクライアントのうち所定の階層に属する送信対象クライアントに対して所定の情報を送信することが好ましい。
【００１０】
位置情報は、ＧＰＳにより得られるクライアントの緯度、経度及び時間が好適である。
【００１１】
位置情報は、クライアントと通信する基地局の現在位置を示す位置情報に応じて定められてもよい。
【００１２】
送信手段が送信する所定の情報は、広告情報であることが好ましい。
【００１３】
送信手段が送信する所定の情報は、クライアントが位置する領域において受信可能な放送波の周波数情報であってもよい。
【００１４】
送信手段が情報を送信したクライアントの数を算出する広告課金処理手段をさらに備えることが好ましい。
【００１５】
所定の領域を設定するための領域設定手段をさらに備えてもよい。
【００１６】
本願第２の発明による情報送信システムは、前記情報送信サーバと、現在の位置情報を取得する位置情報取得手段と、位置情報を情報送信サーバに送信するクライアント側送信手段と、情報送信サーバから情報を取得するクライアント側受信手段と、情報をユーザに伝達する伝達手段を備えるクライアントとを備えることを特徴とする。
【００１７】
本願第３の発明による情報送信方法は、クライアントに対して情報を送信する情報送信方法であって、クライアントの現在位置を示す位置情報をクライアントから取得するステップと、クライアントが所定の領域内に入った回数を示す訪問回数を位置情報に基づいて算出するステップと、所定の領域内に存在するクライアントのうち所定の領域内に対する訪問回数が所定の範囲内である送信対象クライアントに対して所定の情報を送信するステップとを備えることを特徴とする。
【発明の効果】
【００１８】
本発明によれば、送信側の意図に合致する可能性が高いクライアントに情報を送信しうる情報送信サーバおよび方法を得る。
【発明を実施するための最良の形態】
【００１９】
以下、本発明の一実施形態による情報送信システムについて、図を用いて説明する。本実施形態における情報送信システムは、広告配信システムである。まず、図１から５を用いて広告配信システム１００の構成について説明する。
【００２０】
広告配信システム１００は、広告を配信する広告配信サーバ１１０と、ＬＡＮ１２１を介して広告配信サーバ１１０に接続される複数のデータベースサーバ、すなわち位置情報データベースサーバ１３０、ユーザデータベースサーバ１４０、広告主データベースサーバ１５０、広告データベースサーバ１６０、及び地図データベースサーバ１７０と、携帯電話ネットワーク１２２を介して広告配信サーバ１１０に接続される携帯電話１８０と、インターネット１２３を介して広告配信サーバ１１０に接続される広告主端末１９０とから主に構成される。
【００２１】
位置情報データベースサーバ１３０は、地図上における広告エリアを定義する広告エリアデータ１３１を有する。広告エリアは、地図上における閉じた領域であり、地図上にあらかじめ定義され、又は広告主により定義される。広告エリアデータ１３１は、広告エリア固有の文字列である広告エリアＩＤ、広告エリアの範囲を示す緯度及び経度、並びに広告エリアの名称及び住所により構成され、広告エリアごとに作成される。
【００２２】
ユーザデータベースサーバ１４０は、携帯電話１８０を所有するユーザの属性を定義するユーザデータ１４１を有する。ユーザデータ１４１は、ユーザに固有の文字列であるユーザＩＤ、携帯電話１８０の固体識別情報、ユーザのメールアドレス、携帯電話１８０が現在位置するエリアの現在位置エリアＩＤ、広告エリアと日付ごとに算出される訪問回数、及び広告エリアごとに定められるユーザのクラス（階層）とから構成され、ユーザごとに作成される。固体識別情報は、携帯電話１８０が固有に有する識別情報であり、例えばＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ：加入者識別子）が用いられる。
【００２３】
訪問回数は、該当する日付にユーザが対象広告エリアを訪問した回数である。なお本願では、携帯電話１８０が所定の広告エリアに入った回数を、ユーザが所定の広告エリアを訪問した回数として説明する。携帯電話１８０は特定の個人が所持するものであるため、ユーザと携帯電話１８０とが一体として移動するとみなすことができるためである。ユーザのクラスは、例えばＡ、Ｂ、Ｃ、Ｄの４段階に分けられ、広告エリアの訪問回数に応じて決定される。
【００２４】
広告主データベースサーバ１５０は、広告主に関する情報を定義する広告主データ１５１を有する。広告主データ１５１は、広告主に固有の文字列である広告主ＩＤ、広告に固有の文字列である広告ＩＤ、及び広告代金の課金情報とから構成され、広告主ごとに作成される。課金情報は、広告主に課金された広告代金を示す情報である。
【００２５】
広告データベースサーバ１６０は、広告に関する情報を定義する広告データ１６１を有する。広告データ１６１は、広告ＩＤ、広告ＩＤに対応する広告を出稿した広告主の広告主ＩＤ、広告を出稿する広告エリアを示す広告エリアＩＤ、広告の配信条件である広告条件、広告の文章である広告文、広告に用いられる画像である広告画像、広告送信情報、及び広告費用とから構成され、広告ごとに作成される。配信条件は、広告を送信する期間、回数、日時、対象とするユーザ、又は人数などであり、後述する広告出稿処理において、広告主により定められる。広告送信情報は、広告を送信した数及び時間などの、広告送信記録である。広告費用は、ユーザ１人あたりの広告の配信料金である。すなわち、１０人のユーザに広告を配信すると、広告費用に１０を乗じて得られた額が広告主に請求する広告代金となる。
【００２６】
地図データベースサーバ１７０は、ラスタデータ、例えばビットマップデータから成るメッシュ地図を記録する。メッシュ地図は、一定の縮尺の地図を一定の範囲に区切ることにより得られ、メッシュ地図の範囲を示す緯度経度情報、縮尺、及びメッシュＩＤと関連付けられて地図データベースサーバ１７０に記録される。
【００２７】
広告配信サーバ１１０は、ユーザに関する情報を取得及び判定する位置情報取得部１１１、訪問回数判定部１１２及びユーザクラス判定部１１３と、広告の配信を制御する広告配信部１１４と、課金に関する制御を行う広告課金部１１５と、広告の出稿を制御する広告情報受信部１１６とを主に備える。
【００２８】
位置情報取得部１１１は、携帯電話ネットワーク１２２を介して携帯電話１８０と通信を行い、携帯電話１８０の現在位置を表す位置情報及び携帯電話１８０の固体識別情報を携帯電話１８０から受信する。位置情報は、携帯電話１８０が有するＧＰＳ機能を用いて取得した携帯電話１８０の緯度経度及び高度、並びに測位時刻である。
【００２９】
訪問回数判定部１１２は、後述するユーザクラス判定処理の一部を実行し、携帯電話１８０の位置情報を用いてユーザデータベースサーバ１４０が記録する訪問回数を更新する。
【００３０】
ユーザクラス判定部１１３は、クライアント分類手段であって、後述するユーザクラス判定処理の一部を実行し、携帯電話１８０の訪問回数を用いてユーザのクラスを判定及び更新する。さらに、位置情報取得部１１１から携帯電話１８０の位置情報及び固体識別情報を受信して、ユーザデータ１４１における現在位置エリアＩＤを更新する。これにより、ユーザデータ１４１を参照して携帯電話１８０が現在位置するエリアのエリアＩＤを得ることができる。
【００３１】
広告配信部１１４は、後述する広告配信処理を実行する。広告配信処理は、特定の広告エリア内に存在するユーザのうち、広告を配信する条件に合致するユーザに対して広告を配信する処理である。広告の配信は、プッシュ型情報配信サービス、又は電子メールなどを介して行われる。
【００３２】
広告課金部１１５は、後述する課金処理を実行する。課金処理は、配信した広告の回数などに応じて広告料を算出する処理である。
【００３３】
広告情報受信部１１６は、後述する広告出稿処理を実行する。広告出稿処理は、広告主から広告の依頼を受けると共に、広告の内容及び配信条件が広告主により決定される処理である。
【００３４】
次に、図１、６、及び７を用いて携帯端末の一例である携帯電話１８０について説明する。
【００３５】
携帯電話１８０は、広告配信サーバ１１０と通信を行う端末送受信部１８１と、携帯電話１８０の位置情報を取得する端末位置情報取得部１８２と、各種の情報を表示する端末表示部１８３とから主に構成される。１以上の携帯電話１８０が広告配信サーバ１１０と接続可能である。
【００３６】
端末位置情報取得部１８２は、携帯電話１８０の位置をＧＰＳ衛星からの電波を用いて取得するＧＰＳ機能を有し、ＧＰＳ機能により携帯電話１８０の位置情報を取得可能である。
【００３７】
端末送受信部１８１は、位置情報、携帯電話１８０の固体識別情報、及びユーザ情報などを広告配信サーバ１１０に送信する。また、広告配信サーバ１１０から広告文や広告画像を取得する。
【００３８】
端末表示部１８３は、端末送受信部１８１から広告の文章や画像を受信して、広告を表示する。端末表示部１８３が待受画面を表示しているとき、待受画面の下部にメッセージ表示部１８４が設けられる。プッシュ型情報配信サービスを介して広告が送信されるとき、端末表示部１８３は、メッセージ表示部１８４に広告文を表示する（図６参照）。メッセージ表示部１８４に広告文の全文を表示できないとき、メッセージ表示部１８４内で文字がスクロールされることにより広告文の全文が表示される。広告文及び広告画像が電子メールを用いて送信される場合、携帯電話１８０のメールボックスに広告文及び広告画像を含む広告メールが蓄積される。ユーザが広告メールを参照すると、図７に示す画面が端末表示部１８３に表示される。
【００３９】
次に、図１、８、９、及び１０を用いて広告主端末１９０について説明する。
【００４０】
広告主端末１９０は、広告配信サーバ１１０と通信を行う広告主送受信部１９１と、マウスやキーボードなどの入力装置により構成される広告主入力部１９２と、各種の情報を表示する広告主表示部１９３とから主に構成される。１以上の広告主端末１９０が広告配信サーバ１１０と接続可能である。
【００４１】
広告主送受信部１９１は、広告を出稿するための広告出稿画面１９４を広告配信サーバ１１０から受信し、広告文及び広告画像などを広告配信サーバ１１０に送信する。広告主入力部１９２は、広告出稿画面１９４などにユーザが入力を行うために用いられる。広告主表示部１９３は、広告配信サーバ１１０から受信した広告出稿画面１９４、出稿された広告などを表示する。
【００４２】
広告出稿画面１９４は、広告の対象とするユーザのクラスを指定するクラス指定ボックス１９４ａ、広告を出稿するユーザの人数を指定する人数指定ボックス１９４ｂ、広告を出稿する広告エリアを指定する２つの広告エリア指定ボタン１９４ｃ、１９４ｄ、広告の出稿を開始する時間を指定する開始時間指定ボックス１９４ｅ、広告の出稿を終了する時間を指定する終了時間指定ボックス１９４ｆ、広告文を入力する広告文ボックス１９４ｇ、広告画像を入力する広告画像ボックス１９４ｈ、データの登録を行う登録ボタン１９４ｉ、及び広告出稿画面１９４に入力されたデータを消去するクリアボタン１９４ｊから主に構成される。
【００４３】
広告エリア指定ボタン１９４ｃ、１９４ｄは、広告主表示部１９３に表示された地図を用いて広告エリアを指定するときに用いられる「●地図から指定」ボタン１９４ｃと、あらかじめ入力されているスポット名又は住所を用いて広告エリアを指定するときに用いられる「●住所・スポット名から指定」ボタン１９４ｄとから成る。
【００４４】
ユーザが「●地図から指定」ボタン１９４ｃをクリックすると、図９に示される地図指定画面１９５が広告主表示部１９３に表示される。地図指定画面１９５は、地図と、データの登録を行う登録ボタン１９５ｃと、入力された領域を消去するクリアボタン１９５ｄとから主に構成される。ユーザは、マウス等を用いて、地図上における所望の領域１９５ａ、１９５ｂを指定する。ここで指定された領域が広告を配信する広告エリアとなる。
【００４５】
ユーザが「●住所・スポット名から指定」ボタン１９４ｄをクリックすると、図１０に示される住所・スポット入力画面１９６が広告主表示部１９３に表示される。
【００４６】
住所・スポット入力画面１９６には、都道府県リスト１９６ａ、市区町村リスト１９６ｂ、丁目リスト１９６ｃ、及びスポットリスト１９６ｄ、データの登録を行う登録ボタン１９６ｅ、及び広告出稿画面１９４に入力されたデータを消去するクリアボタン１９６ｆが表示される。各リストはドロップダウンリストであり、都道府県リスト１９６ａには４７都道府県がリストとして表示される。都道府県リスト１９６ａにおいてユーザが所望の都道府県を選択すると、選択された都道府県内に存在する市区町村名が市区町村リスト１９６ｂに表示される。市区町村リスト１９６ｂにおいてユーザが所望の市区町村を選択すると、選択された市区町村に存在する丁目番号が丁目リスト１９６ｃに表示される。都道府県リスト１９６ａ、市区町村リスト１９６ｂ、及び丁目リスト１９６ｃにおいてユーザが所望の項目を選択すると、選択された地域内に存在するスポット名がスポットリスト１９６ｄに表示される。ユーザは、マウス等を用いて、地図上における所望の住所又はスポット名を指定する。ここで指定された住所又はスポット名が広告を配信する広告エリアとなる。
【００４７】
次に、図１１及び１２を用いて広告出稿処理について説明する。
【００４８】
ステップＳ１１３１において、ユーザは、広告主入力部１９２を操作して広告配信サーバ１１０に広告出稿画面１９４を要求する。
【００４９】
ステップＳ１１１１では、広告情報受信部１１６が要求を受信して、ステップＳ１１１２において広告出稿画面１９４を広告主端末１９０に送信する。
【００５０】
ステップＳ１１３２では、広告主送受信部１９１が広告出稿画面１９４を受信して、広告主表示部１９３に表示する。
【００５１】
ステップＳ１１３３からＳ１１４２では、ユーザが広告出稿画面１９４を参照しながら広告の内容及び出稿の条件を入力する。
【００５２】
ステップＳ１１３３では、ユーザが「●地図から指定」ボタン１９４ｃをクリックしたか否かを判断する。クリックした場合、処理はステップＳ１１３４に進み、クリックしていない場合、処理はステップＳ１１３８に進む。ステップＳ１１３４では、広告主送受信部１９１が広告情報受信部１１６に地図指定画面１９５を要求する。
【００５３】
ステップＳ１１１３では、広告情報受信部１１６が広告主送受信部１９１からの要求を受信する。ステップＳ１１１４では、広告情報受信部１１６は、広告主データベースサーバ１５０及び広告データベースサーバ１６０を参照して、過去に広告主が出稿した広告のうち最も頻度の高い地域を算出する。そして、その地域のメッシュ地図を地図データベースサーバ１７０から読み出し、地図指定画面１９５を作成する。ステップＳ１１１５では、地図指定画面１９５を広告情報受信部１１６が広告主端末１９０に送信する。
【００５４】
ステップＳ１１３５では、広告主送受信部１９１が地図指定画面１９５を受信して、広告主表示部１９３に表示する。
【００５５】
ステップＳ１１３６では、広告主入力部１９２であるマウスをユーザが操作して、地図指定画面１９５上において広告エリアを指定する（図９参照）。このとき、複数の広告エリアを指定することが可能である。また、マウスを用いて地図上をクリック及びドラッグすることにより、街路の形状に沿った形状の広告エリアを指定することもできる。そして、ユーザが登録ボタン１９５ｃをクリックすると、ステップＳ１１３７において広告主送受信部１９１が広告エリアを広告情報受信部１１６に送信する。
【００５６】
ステップＳ１１１６では、広告情報受信部１１６が広告エリアを受信し、広告出稿画面１９４を作成する。このとき、「●地図から指定」ボタン１９４ｃの右側に、広告情報受信部１１６が受信した広告エリアを代表する地名を表示する。そして、ステップＳ１１１７では、広告情報受信部１１６が広告出稿画面１９４を送信する。
【００５７】
ステップＳ１１３８では、ユーザが「●住所・スポット名から指定」ボタン１９４ｄをクリックしたか否かを判断する。クリックした場合、処理はステップＳ１１３９に進み、クリックしていない場合、処理はステップＳ１１３３に進む。
【００５８】
ステップＳ１１３９では、広告主送受信部１９１が広告情報受信部１１６に住所・スポット入力画面１９６を要求する。
【００５９】
ステップＳ１１１８では、広告情報受信部１１６が広告主送受信部１９１からの要求を受信する。ステップＳ１１１９では、広告情報受信部１１６は、住所・スポット入力画面１９６を広告主端末１９０に送信する。
【００６０】
ステップＳ１１４０では、広告主送受信部１９１が住所・スポット入力画面１９６を広告主表示部１９３に表示する（図１０参照）。
【００６１】
ステップＳ１１４１では、広告主入力部１９２であるマウスをユーザが操作して、都道府県リスト１９６ａ、市区町村リスト１９６ｂ、丁目リスト１９６ｃ、及びスポットリスト１９６ｄから、所望の項目を選択する。都道府県リスト１９６ａにおいてユーザがマウス等を用いて所望の都道府県を選択すると、広告主送受信部１９１が選択された都道府県名を広告情報受信部１１６に送信する。広告情報受信部１１６は、地図データベースサーバ１７０を参照して、その都道府県内に存在する市区町村名及びスポットを広告主送受信部１９１に送信する。広告主送受信部１９１は市区町村名及びスポットを受信し、広告主表示部１９３は市区町村リスト１９６ｂ及びスポットリスト１９６ｄを更新する。同様にして市区町村リスト１９６ｂ及び丁目リスト１９６ｃにおいてユーザが所望の項目を選択すると、丁目リスト１９６ｃ及びスポットリスト１９６ｄが更新される。ユーザが所望の広告エリアを選択した後にＯＫボタンをクリックすると、ステップＳ１１４２において、ユーザが登録ボタン１９６ｅをクリックすると、選択された広告エリアを広告主送受信部１９１が広告情報受信部１１６に送信する。
【００６２】
ステップＳ１１２０では、広告情報受信部１１６が広告エリアを受信し、広告出稿画面１９４を作成する。このとき、「●住所・スポット名から指定」ボタン１９４ｄの右側に、広告情報受信部１１６が受信した広告エリアを代表する地名を表示する。そして、ステップＳ１１２１では、広告情報受信部１１６が広告出稿画面１９４を送信する。
【００６３】
ステップＳ１１４３では、広告主送受信部１９１が広告出稿画面１９４を受信して、広告主表示部１９３に表示する（図８参照）。
【００６４】
ステップＳ１１４４では、ユーザが配信対象ユーザのクラス及び配信対象人数を入力し、広告文及び広告画像を入力する。
【００６５】
そして、ユーザが登録ボタン１９４ｉをクリックすると、ステップＳ１１４５において、広告エリア、配信対象ユーザのクラス、配信対象人数、広告文、及び広告画像とからなる広告情報を広告主送受信部１９１が広告情報受信部１１６に送信する。
【００６６】
ステップＳ１１２２では、広告情報受信部１１６が広告情報を受信する。そして、ステップＳ１１２３において、広告情報に固有の広告ＩＤを付した上で広告データ１６１を作成して広告データベースサーバ１６０に広告データ１６１を登録する。
【００６７】
ステップＳ１１２４では、広告情報受信部１１６が広告エリアから広告エリアデータ１３１を作成し、位置情報データベースサーバ１３０に広告エリアデータ１３１を登録する。
【００６８】
ステップＳ１１２５では、広告情報受信部１１６が広告データ１６１に含まれる広告ＩＤを対応する広告主データ１５１に登録する。
【００６９】
そして、ステップＳ１１２６において、広告情報受信部１１６は、広告主端末１９０に広告を受け付けた旨を表す広告出稿受理画面を送信する。
【００７０】
ステップＳ１１４６では、広告主送受信部１９１が広告出稿受理画面を受信し、広告主表示部１９３に広告出稿受理画面を表示する。これにより、広告出稿処理が終了する。
【００７１】
次に、図１３を用いてユーザクラス判定処理について説明する。ユーザクラス判定処理は、携帯電話１８０が送信した固体識別情報及び位置情報を広告配信サーバ１１０が受信したときに実行される。
【００７２】
ステップＳ１３０１では、受信した緯度経度に該当するエリアＩＤを位置情報データベースサーバ１３０から訪問回数判定部１１２が検索する。
【００７３】
ステップＳ１３０２において、訪問回数判定部１１２は、受信した緯度経度を含むエリアが位置情報データベースサーバ１３０に存在するか否かを判断する。受信した緯度経度を含むエリアが存在しない場合、処理が終了する。受信した緯度経度を含むエリアが存在する場合、処理は次のステップＳ１３０３に進む。
【００７４】
ステップＳ１３０３において、訪問回数判定部１１２は、携帯電話１８０が位置するエリアのエリアＩＤを取得する。
【００７５】
ステップＳ１３０４では、受信した固体識別情報に該当するユーザデータ１４１をユーザデータベースサーバ１４０から訪問回数判定部１１２が検索する。
【００７６】
ステップＳ１３０５では、訪問回数判定部１１２は、受信した固体識別情報に対応したユーザＩＤがユーザデータベースサーバ１４０に存在するか否かを判断する。ユーザが存在しない場合、処理が終了する。ユーザが存在する場合、処理は次のステップＳ１３０６に進む。
【００７７】
ステップＳ１３０６において、ユーザデータ１４１に含まれる訪問回数を訪問回数判定部１１２が更新する。訪問回数判定部１１２は、位置情報に含まれる測位時刻が属する日付の訪問回数を１つ増やす。
【００７８】
ステップＳ１３０７において、ユーザクラス判定部１１３はユーザのクラスを判定してユーザデータ１４１に記録する。ユーザクラス判定部１１３は、直前１週間における該当エリアに対するユーザの訪問回数を積算し、直前１週間の訪問頻度を算出する。この訪問頻度が２以下であるとき、クラスはＤとなる。訪問頻度が２より大きく、かつ１０以下であるとき、クラスはＣとなる。訪問頻度が１０より大きく、かつ３０以下であるとき、クラスはＢとなる。訪問頻度が３０より大きいとき、クラスはＡとなる。
【００７９】
次に、図１４を用いて広告配信処理について説明する。広告配信処理は、一定の時間間隔、例えば１秒ごとに実行される。
【００８０】
ステップＳ１４０１では、所定の広告データ１６１に記録されている広告エリアに現在存在するユーザの数を算出する。現在存在するユーザの数は、ユーザデータ１４１に記録された現在位置エリアＩＤが広告エリアのエリアＩＤと一致するユーザを積算することにより得られる。
【００８１】
ステップＳ１４０２からＳ１４０６は、位置情報データベースサーバ１３０に記録された全てのエリアに対して実行される。
【００８２】
ステップＳ１４０２では、位置情報データベースサーバ１３０から１つのエリアＩＤを取得する。そして、このエリアＩＤに対応する広告ＩＤを広告データベースサーバ１６０から取得する。
【００８３】
ステップＳ１４０３では、取得した広告ＩＤに対応する広告が、配信条件に合致しているかを判断する。すなわち、現在、広告の送信を開始する日時を過ぎているか、広告を送信する期間中であるか、送信回数が所定の範囲内であるか、広告を送信する人数が所定の範囲内であるかなどについて判断を行う。これらの条件に合致している場合、処理はステップＳ１４０４に進み、合致していない場合、処理はステップＳ１４０７に進む。
【００８４】
ステップＳ１４０４では、現在広告エリア内に存在するユーザのうち、所定のクラスを有するユーザを選択する。この選択は、ユーザデータ１４１にエリア毎に記録されたクラスを参照することにより行われる。
【００８５】
ステップＳ１４０５では、ステップＳ１４０４において選択されたユーザに対して広告を送信する。メールにより広告を送信する場合、ユーザデータ１４１に記録されたメールアドレスに広告文及び広告画像を記述したメールを送信する。プッシュ型情報配信サービスにより広告を送信する場合、ユーザデータ１４１に記録された固体識別符号に広告文及び広告画像を記述したデータ送信する。そして、広告データ１６１の広告送信情報に含まれる送信人数を更新する。
【００８６】
ステップＳ１４０６では、後述する課金処理を実行する。
【００８７】
ステップＳ１４０７では、ステップＳ１４０２において位置情報データベースサーバ１３０から取得した広告エリアにおける全ての広告に対して、配信条件の判断を行ったか否かを判断する。行っている場合、処理は終了し、行っていない場合、処理はステップＳ１４０２に戻る。
【００８８】
次に、図１５を用いて課金処理について説明する。
【００８９】
ステップＳ１５０１において、出稿した広告に対応する広告データ１６１から広告人数及び広告費用を得る。そして、広告人数に広告費用を乗じて、広告代金を算出する。広告費用は、広告エリアの大きさ、クラス等に応じて決定される。
【００９０】
ステップＳ１５０２では、出稿した広告主に対応する広告主データ１５１の課金情報に広告代金を書き込む。これにより、課金処理が終了する。
【００９１】
課金処理によれば、広告主に対して請求すべき広告代金を広告主ごとに得ることができる。
【００９２】
なお、本実施形態において、複数のデータベースサーバは、ＬＡＮ１２１ではなく、インターネット１２３などの任意のネットワーク方式により広告配信サーバ１１０と接続されてもよい。
【００９３】
また、携帯電話１８０は、ＰＤＡなどの通信機能を有する携帯端末であってもよい。携帯電話１８０又は携帯端末は、携帯電話ネットワーク１２２ではなく、有線又は無線ＬＡＮなどのネットワーク方式により広告配信サーバ１１０と接続されてもよい。
【００９４】
広告主端末１９０は、インターネット１２３でなく他のネットワーク方式により広告配信サーバ１１０と接続されてもよい。
【００９５】
広告主端末１９０は、インターネット１２３でなく他のネットワーク方式により広告配信サーバ１１０と接続されてもよい。
【００９６】
ユーザクラス判定処理のステップＳ１３０７において、訪問頻度は、直前の１週間に渡って算出されるものでなくてもよく、広告主の希望により、例えば２週間や１ヶ月などの任意の期間に渡って算出されてもよい。また、訪問回数によりユーザのクラスを決定してもよい。さらに、訪問回数判定部１１２がユーザの訪問頻度を判定してもよい。
【００９７】
前記各処理において、携帯電話１８０の固体識別符号でなくユーザＩＤを用いて処理を行ってもよい。
【００９８】
ユーザのクラスは４段階でなく、任意の複数の回数であればよい。また、クラスを分ける閾値は広告主の希望により任意の数値が決定されてもよい。
【００９９】
位置情報は、携帯電話１８０が現在接続している無線ＬＡＮの基地局の位置から算出されてもよい。このとき、位置情報取得部１１１は、電話交換機から基地局の位置を取得し、基地局の位置から携帯電話１８０の位置を算出する。さらに、無線ＬＡＮの基地局で受信した無線信号の強度を用いて携帯電話１８０の位置を推定してもよい。あるいは、有線ＬＡＮの接続点の位置により現在位置を取得してもよい。
【０１００】
クラスは４段階に分けられるものでなくてもよく、広告主の希望などに応じて複数の段階に分けられてもよい。また、クラスを区分する訪問回数の閾値は前述の値に限定されない。
【０１０１】
課金処理は、広告配信処理の中で実行されなくてもよく、例えば１日１回又は１週間に１回など、予め定めた時間に実行されてもよい。
【０１０２】
広告代金は、広告人数に広告費用を乗じて求められなくてもよい。広告送信回数、クラスなどの要素を用いて求めてもよい。
【０１０３】
さらに、広告配信サーバが送信する情報は広告に限定されず、ユーザの現在位置に応じた情報、例えばコミュニティ放送の放送周波数といった地域固有の情報であってもよい。ラジオ受信機能を有する携帯端末がコミュニティ放送の放送周波数を受信して、コミュニティ放送の放送周波数にラジオの受信周波数を併せることが可能となる。
【図面の簡単な説明】
【０１０４】
【図１】広告配信システムを概念的に示した図である。
【図２】位置情報データのデータ構造を示した図である。
【図３】ユーザデータのデータ構造を示した図である。
【図４】広告主データのデータ構造を示した図である。
【図５】広告データのデータ構造を示した図である。
【図６】携帯電話と、その表示部を示した図である。
【図７】表示部に表示された広告メールを示した図である。
【図８】広告出稿画面を示した図である。
【図９】地図指定画面を示した図である。
【図１０】住所・スポット入力画面を示した図である。
【図１１】広告出稿処理を示したフローチャートである。
【図１２】広告出稿処理を示したフローチャートである。
【図１３】ユーザクラス判定処理を示したフローチャートである。
【図１４】広告配信処理を示したフローチャートである。
【図１５】課金処理を示したフローチャートである。
【符号の説明】
【０１０５】
１００  広告配信システム
１１０  広告配信サーバ
１１１  位置情報取得部
１１２  訪問回数判定部
１１３  ユーザクラス判定部
１１４  広告配信部
１１５  広告課金部
１１６  広告情報受信部
１２１  ＬＡＮ
１２２  携帯電話ネットワーク
１２３  インターネット
１３０  位置情報データベースサーバ
１３１  広告エリアデータ
１４０  ユーザデータベースサーバ
１４１  ユーザデータ
１５０  広告主データベースサーバ
１５１  広告主データ
１６０  広告データベースサーバ
１６１  広告データ
１７０  地図データベースサーバ
１８０  携帯電話
１８１  端末送受信部
１８２  端末位置情報取得部
１８３  端末表示部
１８４  メッセージ表示部
１９０  広告主端末
１９１  広告主送受信部
１９２  広告主入力部
１９３  広告主表示部
１９４  広告出稿画面
１９４ａ  クラス指定ボックス
１９４ｂ  人数指定ボックス
１９４ｃ  「●地図から指定」ボタン
１９４ｄ  「●住所・スポット名から指定」ボタン
１９４ｅ  開始時間指定ボックス
１９４ｆ  終了時間指定ボックス
１９４ｇ  広告文ボックス
１９４ｈ  広告画像ボックス
１９５  地図指定画面
１９６  住所・スポット入力画面
１９６ａ  都道府県リスト
１９６ｂ  市区町村リスト
１９６ｃ  丁目リスト
１９６ｄ  スポットリスト
【図１】
2010097266.tif 000003
【図２】
2010097266.tif 000004
【図３】
2010097266.tif 000005
【図４】
2010097266.tif 000006
【図５】
2010097266.tif 000007
【図６】
2010097266.tif 000008
【図７】
2010097266.tif 000009
【図８】
2010097266.tif 000010
【図１０】
2010097266.tif 000011
【図１１】
2010097266.tif 000012
【図１２】
2010097266.tif 000013
【図１３】
2010097266.tif 000014
【図１４】
2010097266.tif 000015
【図１５】
2010097266.tif 000016
【図９】
2010097266.tif 000017